(57)【特許請求の範囲】
【請求項１】
回転軸線（Ｒ）を有する電気機械であって、
前記回転軸線（Ｒ）に対して横方向にある底壁（１０３）を備えたケーシング（１０１）と、
該ケーシング（１０１）を閉じる蓋（１０２）と、
前記ケーシング（１０１）に固定された固定子（１０６）であって、複数の極片（１０９）と固定子の巻線（１１２）を形成する複数のコイル（１１１）を形成するように前記極片（１０９）に巻かれた少なくとも１つのワイヤ（１１０）とを備えた前記固定子と、を具備し、
前記底壁（１０３）は、前記回転軸線（Ｒ）と平行な線に従って前記ケーシング（１０１）の内側に突出する少なくとも１つの環状突出部（１１３）を備え、
前記巻線（１１２）の全てのコイル（１１１）が、前記環状突出部（１１３）によって前記ケーシング（１０１）と熱交換するように前記環状突出部（１１３）と係合する、電気機械において、
前記底壁（１０３）が、前記ケーシングの外側に面する面（１０３ｂ）において、熱を放出するための少なくとも１つの第１の環状溝部（１１７）であって、前記回転軸線（Ｒ）に従って前記環状突出部（１１３）に実質的に配置された第１の環状溝部（１１７）を備え、
前記第１の環状溝部（１１７）は、底壁（１１８）を備え、前記第１の環状溝部（１１７）は、該底壁（１１８）に接続された第１の側壁（１１９）及び第２の側壁（１２０）により、横方向に境界が定められる、
ことを特徴とする、電気機械。
【請求項２】
前記環状突出部（１１３）が、前記ケーシングの側壁（１０４）と共に、前記ケーシング（１０１）の内側に第２の環状溝部（１１４）を画成する、請求項１に記載の電気機械。
【請求項３】
前記底壁（１０３）が、軸流ファン（２００）のハブの底壁（２０２）に面するように設けられた、請求項１または２に記載の電気機械。
【請求項４】
前記コイル（１１１）が、前記環状突出部（１１３）と係合した端部（１１１ａ）をそれぞれ備える、請求項１から３のいずれか一項に記載の電気機械。
【請求項５】
前記巻線（１１２）と前記環状突出部（１１３）との間に挿入された電気絶縁手段（１１６）を具備する、請求項１から４のいずれか一項に記載の電気機械。
【請求項６】
電気換気器であって、
請求項１から５のいずれか一項に記載の電気機械と、
回転軸線（Ｒ）を有し、且つ、カップ状構造体を形成するように底壁（２０２）と該底壁（２０２）から突出する側壁（２０３）とを備えた中央ハブ（２０１）を備えるファンであって、前記中央ハブ（２０１）にそれぞれ固定されると共に前縁部（２０５）と後縁部（２０６）とを備えた複数のブレード（２０４）を備えるファンと、
を具備し、
前記ファンは、前記中央ハブ（２０１）の前記底壁（２０２）を通して前記カップ状構造体の内側から前記カップ状構造体の外側へと空気を送るために前記中央ハブ（２０１）の底壁（２０２）と関連付けられた流体搬送手段（２０７、２１１）を備え、
前記流体搬送手段（２０７、２１１）が、前記第１の環状溝部（１１７）において機能することを特徴とする、電気換気器。
【請求項７】
前記中央ハブ（２０１）の前記底壁（２０２）が、前記回転軸線（Ｒ）に対して横方向にある主要部（２０８）を備え、前記流体搬送手段（２０７、２１１）が、前記主要部（２０８）から前記カップ状構造体の内側へと突出する少なくとも１つの流体抽出器（２０７）と、前記カップ状構造体の内側と前記中央ハブ（２０１）の外側とを流体連通させるための、前記流体抽出器（２０７）で前記底壁（２０２）における少なくとも１つの開口部（２１１）と、を備える、請求項６に記載の電気換気器。
【請求項８】
前記流体抽出器（２０７）が、前記主要部（２０８）に固定された端縁部（２０９）と、前記主要部（２０８）から前記カップ状構造体の内側へと離された端部輪郭（２１０）と、を備える、請求項７に記載の電気換気器。
【請求項９】
前記主要部（２０８）が、前記開口部（２１１）の少なくとも１つの縁部（２１２）を備え、前記開口部（２１１）が、前記流体抽出器（２０７）の前記端部輪郭（２１０）と前記縁部（２１２）とによって区切られた、請求項８に記載の電気換気器。
【請求項１０】
前記端部輪郭（２１０）が、前記回転軸線（Ｒ）と平行な線に従って、前記開口部（２１１）の対応する前記縁部（２１２）と実質的に重なる、請求項９に記載の電気換気器。
【請求項１１】
前記端部輪郭（２１０）が、前記流体抽出器（２０７）の前縁部を形成する、請求項８から１０のいずれか一項に記載の電気換気器。
【請求項１２】
前記流体搬送手段（２０７、２１１）が、複数の前記流体抽出器（２０７）と、前記中央ハブ（２０１）の前記底壁（２０２）における複数の対応する開口部（２１１）と、を備える、請求項７から１１のいずれか一項に記載の電気換気器。
【請求項１３】
前記流体抽出器（２０７）が、前記回転軸線（Ｒ）の周りに等しい角度で間隔をおいて配置される、請求項１２に記載の電気換気器。
【請求項１４】
前記流体搬送手段（２０７、２１１）が、前記中央ハブ（２０１）と一体的に形成される、請求項６から１３のいずれか一項に記載の電気換気器。
【請求項１５】
前記電気機械（１００）が、前記ケーシング（１０１）に対して回転可能に拘束された回転子（１０７）と、該回転子（１０７）に固定されたシャフト（１０８）と、を備え、該シャフト（１０８）が、前記ケーシング（１０１）の前記底壁（１０３）から突出する自由端（１０８ａ）を備え、前記ファン（２００）が前記自由端（１０８ａ）に対して固定された、請求項６に記載の電気換気器。
【請求項１６】
前記中央ハブ（２０１）の前記底壁（２０２）が、前記回転軸線（Ｒ）に対して横方向にある主要部（２０８）を備え、前記流体搬送手段（２０７、２１１）が、複数の流体抽出器（２０７）と、前記底壁（２０２）における複数の対応する開口部（２１１）と、を備え、それぞれの流体抽出器（２０７）が、前記主要部（２０８）から前記カップ状構造体の内側へと突出し、且つ、前記主要部（２０８）に対して固定された端縁部（２０９）と、前記主要部（２０８）から前記カップ状構造体の内側へと離れた端部輪郭（２１０）と、を備え、前記端部輪郭（２１０）が、前記流体抽出器（２０７）の前縁部を形成し、且つ、前記第１の環状溝部（１１７）内に挿入された、請求項６又は１５に記載の電気換気器。
【請求項１７】
それぞれの端部輪郭（２１０）の外形が、前記第１の環状溝部（１１７）の対応する区分の外形と一致する、請求項１６に記載の電気換気器。
【請求項１８】
それぞれの端部輪郭（２１０）が、前記第１の環状溝部（１１７）の前記底壁（１１８）に面する第１の区分（２１８）と、前記第１の環状溝部（１１７）の前記第１の側壁（１１９）に面する第２の区分（２１９）と、前記第１の環状溝部（１１７）の前記第２の側壁（１２０）に面する第３の区分（２２０）と、を備える、請求項１７に記載の電気換気器。
【請求項１９】
前記端部輪郭（２１０）の前記第１の区分（２１８）、前記第２の区分（２１９）、前記第３の区分（２２０）が互いに接続され、前記第１の環状溝部（１１７）の前記底壁（１１８）、前記第１の環状溝部（１１７）の前記第１の側壁（１１９）、及び、前記第１の環状溝部（１１７）の前記第２の側壁（１２０）、のそれぞれから同じ距離にある、請求項１８に記載の電気換気器。
【発明の詳細な説明】
【技術分野】
【０００１】
本発明は、電気機械に関し、具体的には、回転電動モータ、電動モータを備える種類の軸流ファン及び電気換気器、並びに電動モータによって駆動する軸流ファンに関する。
【０００２】
標準技術分野は、放射物体(radiant mass)などから熱を放出することを意図した自動車用電気換気器の分野である。
【背景技術】
【０００３】
一般に、標準先行技術型の電動モータは、強固に固定された巻回型の固定子を内部に有するケーシングと、ケーシングに回転可能に固定された回転子、例えば永久磁石を有する回転子と、を備えている。
【０００４】
固定子に接続された電子モジュール又は制御電子機器は、固定子に電力を供給するためにケーシング内に挿入されている。
【０００５】
蓋はケーシングを閉じて閉鎖容器を形成し、そこから、接続端子が制御電子機器への電力供給のために突出している。
【０００６】
本発明の標準として用いられている電気機械は、具体的には、密閉型としても知られているブラシレス閉鎖型のものであり、すなわち、密閉電気機械である。
【発明の概要】
【発明が解決しようとする課題】
【０００７】
電気機械の巻線は、固定子又は回転子巻線であるかを問わず、導電性材料、通常銅からなる複数のコイルを用いて製造され、電気機械の固定子及び／又は回転子の２つ以上の極片（pole shoes）の周囲に巻かれた導線からなることが知られている。電気が流れる巻線は、強磁性材料から製造された極片から分離される。この目的上、電気絶縁材料の層は、巻線と巻線が巻かれている対応する極片との間に配置されている。
【０００８】
更に高い公称値を有し得る電流が巻線を通過すると、巻線の全体寸法を越えて巻線に隣接する電気機械の領域に及ぶジュール効果により、加熱現象が生じる。
【０００９】
特に、前述の加熱現象によって導線の伝導性が悪化し、このため、電流の通路に対して大きな抵抗が発生し、これによって、高いレベルで、多くの場合、許容不能なレベルのエネルギー散逸が生じることが分かっている。さらに、巻線の加熱によって、巻線と対応する極片との間に配置された電気絶縁材料の上述した層の絶縁特性が急速に悪化するとともに、電子モジュールが過熱する場合がある。
【００１０】
このような状況は、空気の再循環がなくケーシング及び蓋によって形成された容器中に巻線が埋め込まれた、閉鎖型の回転電気機械では特に悪い状況である。
【００１１】
前述の問題を克服するのに企図された解決策は、同じ出願人名義の国際公開公報第２００９０１９５６２号に記載されている。
【００１２】
この解決策では、ケーシングの内部には、ケーシング底壁の突出部の形態で複数の停止部が設けられ、蓋とより効果的な熱交換が行われるように、固定子巻線が停止部に当接し、適切に絶縁されている。
【００１３】
高出力モータの場合、約１ ｋＷでは、先行技術の解決策は、巻線に発生する熱を分散させるという点で、まだ十分に満足のいくものではない。
【課題を解決するための手段】
【００１４】
このようなことに関連して、本発明の主な目的は、上述の欠点を克服することである。
【００１５】
本発明の目的の一つは、先行技術の解決策と比較して固定子巻線の冷却が更に改善された電気機械を提供することである。
【００１６】
更なる目的は、軸流ファンであって、固定子巻線によって発生し同じファンを駆動させる電気機械のケーシングに伝達する熱の分散に寄与する、軸流ファンを提供することである。
【００１７】
本発明の別の目的は、モータの動作によって発生する熱を分散させるのに特に効果的な換気器を提供することである。
【００１８】
上に示した技術的目的、及び特定されている目的は、請求項１に係る電気機械、請求項９に係るファン、及び請求項１８に係る電気換気器によって実質的に達成される。
【００１９】
本発明の更なる特徴及び利点は、換気装置の非限定的な好適実施形態を参照し、添付図面に示されているように、下記の詳細な説明においてより明らかである。
【図面の簡単な説明】
【００２０】
【図１】本発明に係る電気換気器の概略的斜視図である。
【図２】図１の換気器の一部の上面図である。
【図３】図２の換気器の一部の線ＩＩＩ‐ＩＩＩによる概略的断面図である。
【図３ａ】図３の断面の拡大詳細を示す。
【図４】図１の電気換気器のモータの概略的斜視図である。
【図５】図４のモータのケーシングの概略的斜視図である。
【図６】図１の換気器の一部であるファンのハブの概略的斜視図である。
【図７】図６のハブの概略的斜視下面図である。
【発明を実施するための形態】
【００２１】
図１を特に参照すると、符号１は、本発明に係る電気換気器を示している。
【００２２】
図示するように、電動換気器１は軸流型であり、回転軸線Ｒを有している。
【００２３】
電動換気器１は、電気機械１００、すなわち電動モータと、モータ１００によって駆動するファン２００と、を備えている。
【００２４】
モータ１００及びファン２００は、本発明を理解するのに必要な技術的特徴の点からのみ、以下に詳細に説明される。特に図３、４及び５を参照すると、回転軸線Ｒを有する電動モータ１００は、ケーシング１０１と、ケーシング１０１を閉じる蓋１０２とを備えていることに留意する必要がある。
【００２５】
ケーシング１０１は、回転軸線Ｒに対して横方向にある底壁１０３と、底壁１０３から突出した、好適には円筒形である側壁１０４と、を備えている。
【００２６】
ケーシング１０１及び蓋１０２は、回転軸線Ｒと平行な線に従って互いに連結され、これらは、使用時に、密閉型であることが好ましい閉鎖容器１０５を形成する。
【００２７】
モータ１００は、ケーシング１０１に固定された固定子１０６と、ケーシングに回転可能に固定された回転子１０７、例えば永久磁石を有する回転子と、を備えている。
【００２８】
回転子１０７はシャフト１０８を備え、このシャフト１０８の一端部１０８ａは容器１０５から突出し、ファン２００が固定されている。
【００２９】
図示する例において、シャフト１０８は、ケーシング１０１の底壁１０３から突出している。
【００３０】
このように、底壁１０３は、以下に説明するように、軸流ファン２００のハブの底壁内面に当接し、この内面に面している。
【００３１】
簡単に説明するために、ファン２００のハブの内面に面する底壁１０３がケーシング１０３の底壁である、好適な実施形態が言及される。
【００３２】
図示しないが同等である別の実施形態において、底壁１０３は、蓋１０２の底壁である。
【００３３】
固定子１０６は、複数の極片１０９と、極片１０９に巻かれている位相巻線(phase wire)１１０と、を備えている。
【００３４】
極片１０９に巻かれている巻線１１０は、図示する例では固定子巻線１１２を構成している複数のコイル１１１を形成する。
【００３５】
図３を参照すると、それぞれのコイル１１１が、どのように、軸線Ｒと平行な線に従って互いに配置された２つの端部１１１ａを有するかを理解することができる。
【００３６】
底壁１０３は、回転軸線Ｒと平行な線に従ってケーシング１０１の内側に突出する突出部１１３を備えている。
【００３７】
換言すると、突出部１１３は、底壁１０３に位置する面から、電動モータ１００、具体的にはケーシング１０１の内部空間の方に延びている。
【００３８】
図示する好適な実施形態において、突出部１１３は、実質的に環状であり、回転軸線Ｒを中心に延びている。
【００３９】
突出部１１３は、ケーシング１０１の側壁１０４と同心であり、ケーシング１０１の側壁１０４とともに、環状溝部１１４の境界を定める。
【００４０】
図示するように、突出部１１３は、その内側において、実質的に円形である空間１１５の境界を定め、そして、その外側において、ケーシング１０１内側の上述した内側溝部１１４の境界を定める。
【００４１】
突出部１１３は、ケーシング１０１の一部であることが好ましく、使用時に、容器１０５の内側に面する底壁１０３の内面１０３ａに形成される。
【００４２】
コイル１１１は、突出部１１３によってケーシング１０１と熱交換をするように、突出部１１３と係合する。
【００４３】
より正確には、固定子１０６は、コイル１１１が突出部１１３に当接するように、ケーシング１０１内に挿入される。
【００４４】
図示するように、ケーシング１０１の底壁１０３の方に面する端部１１１ａはすべて、突出部１１３と係合する。
【００４５】
具体的には、ケーシング１０１の底壁１０３の方に面する端部１１１ａはすべて、突出部１１３に当接している。
【００４６】
固定子巻線１１２とケーシング１０１との間の適切な電気絶縁を保証するために、モータ１００は、巻線１１２と突出部１１３との間に配置された電気絶縁手段を備えている。
【００４７】
電気絶縁手段は、巻線１１２とケーシング１０１との間の熱交換を最適化するように、熱を伝導できることが有利である。
【００４８】
絶縁手段は、適切な機械的強度、熱伝導性及び電気絶縁性を保証するsilpad（登録商標）のシート又はシート片１１６を備えることが好ましい。
【００４９】
特に図３、３ａ及び４を参照すると、モータ１００、具体的にはケーシング１０１の底壁１０３が、どのように、ケーシング１０１の外部に面するその外面１０３ｂにおいて、容器１０５内で、具体的には固定子１０６で発生する熱を放出する溝部１１７を備えているかを理解することができる。
【００５０】
溝部１１７は、環状であることが好ましく、回転軸線Ｒと同軸である。
【００５１】
特に図３及び３ａを参照すると、溝部１１７が、どのように、ケーシング１０１内において、底壁１０３に、実質的に突出部１１３に配置されることが好ましいかを理解することができる。
【００５２】
突出部１１３及び溝部１１７は、底壁１０３の両側に、すなわち、それぞれ、実質的に互いに同じ位置で、内面１０３ａ及び外面１０３ｂに、設けられている。
【００５３】
このように、固定子１０６によって発生する熱の大部分は、突出部１１３によって底壁１０３に、及び底壁から容器１０５の外部に、具体的には溝部１１７に移動し、そこから放熱される。
【００５４】
溝部１１７は底壁１１８を備え、互いに面し壁１１８に接続されていることが好ましい２つの側壁１１９、１２０によって、横方向に境界が定められる。
【００５５】
壁１１８は、モータ１００の回転軸線Ｒに対して垂直な面にあることが好ましい。
【００５６】
図示する好適な実施形態において、壁１１９は、曲線状の輪郭を有している。
【００５７】
壁１２０は、直線状の輪郭を有し、使用時には、円錐台形状に拡張する。
【００５８】
ファン２００を詳細に見ると、ファンが、プラスチック材料から製造され成形によって得られる種類のものであることがどのように好ましいかを理解することができる。
【００５９】
ファン２００は、好ましくは回転方向Ｖに回転してモータ１００の方に誘導される主流Ｆ１を発生させるように設けられた軸流ファンである。
【００６０】
ファン２００は、内面２０２ａ及び外面２０２ｂを有する底壁２０２を備えた中央ハブ２０１を備えている。
【００６１】
ハブ２０１は、側壁２０３であって、円筒形であることが好ましく底壁２０２から延びる側壁を備えている。
【００６２】
底壁２０２と外側壁２０３は一体的に形成され、カップ状構造体を形成している。
【００６３】
図示するように、ファン２００は、好ましくはモータ１００がハブ２０１に少なくとも部分的に挿入されるように、実質的に公知の方法により、底壁２０２によってシャフトの端部１０８ａに接続されている。
【００６４】
ファン２００は複数のブレード２０４を備え、これらのブレードはそれぞれ、ハブ２０１に固定され、好ましくは、ハブと一体的に形成される。
【００６５】
ブレード２０４はそれぞれ、ハブ２０１の近位にある第１の端部２０４ａと、ハブ２０１の遠位にあり第１の端部とは反対側にある第２の端部２０４ｂとの間に延びている。
【００６６】
ブレード２０４はそれぞれ、ブレード２０４の前縁部を形成することが好ましい第１の横方向輪郭２０５と、ブレード２０４のそれぞれの後縁部を形成することが好ましい第２の横方向輪郭２０６と、を備えている。
【００６７】
ファン２００は、底壁２０２と関連付けられている流体搬送手段であって、底壁２０２を介して、カップ状構造体の内部から、すなわちハブ２０１の内側から、カップ状構造体の外部に、すなわちハブ２０１の外側に空気を搬送する流体搬送手段を備えている。
【００６８】
以下に詳細に説明するように、搬送手段は、使用時に、カップ状構造体の内部から空気を取り、前述の構造体から空気を押し出すように形成される。
【００６９】
搬送手段は、以下に説明するように、特に突出部１１３によって固定子１０６から溝部１１７に移動した熱を除去するように、底壁１０３外側の溝部１１７に配置され形成されている。
【００７０】
図示する実施形態において、搬送手段は、ハブ２０１の底壁２０２に関連付けられている、複数の流体（具体的には空気）抽出器２０７を備えている。
【００７１】
より正確には、底壁２０２は、実質的に水平でありファン２００の回転軸線Ｒに対して垂直な主要部２０８を備えている。抽出器２０７は、全体として、底壁２０２を形成するように、主要部２０８と一体的に形成されている。
【００７２】
抽出器２０７は、軸線Ｒを中心に等しい角度をもって間隔を置いて配置され、好ましくは、底壁２０２における抽出器の数が最大になるように分布している。
【００７３】
抽出器２０７はそれぞれ、ハブ２０１の底壁２０２の主要部２０８から、ハブ２０１のカップ状構造体の内側に突出している。
【００７４】
抽出器２０７はそれぞれ、底壁２０２の主要部２０８に固定された端縁部２０９と、ハブ２０１の底壁２０２の主要部２０８からカップ状構造体の内側に離れた端部輪郭２１０と、を備えている。
【００７５】
抽出器２０７はそれぞれ、特に端縁部２０９によって、底壁２０２の主要部２０８に接続されることが有利である。
【００７６】
抽出器２０７はそれぞれ、ハブ２０１によって形成されたカップ状構造体の外側方向に面する凹部を備えている。
【００７７】
換言すると、底壁２０２の外面２０２ｂは、抽出器２０７の凹部を備えている。
【００７８】
抽出器２０７はそれぞれ、輪郭２１０から対応する端縁部２０９に延びる曲面によって形成されている。
【００７９】
端部輪郭２１０は、それぞれの抽出器２０７において、前縁部を形成し、底壁２０２の主要部２０８から離れている。
【００８０】
それぞれの抽出器２０７において、対応する開口部２１１は、抽出器２０７自体と、底壁２０２の主要部２０８との間に形成されている。
【００８１】
搬送手段は、使用時に、カップ状構造体の内部とハブ２０１の外部とを流体連通させる開口部２１１を備える。
【００８２】
開口部２１１は、対応する抽出器２０７の輪郭２１０によって、及び、底壁２０２の主要部２０８の対応する縁部２１２によって境界が定められる。
【００８３】
底壁２０２の主要部２０８は、使用時に、開口部２１２の縁部２１１を備える。
【００８４】
ファン２００の回転方向Ｖを考慮して、空力付属物(aerodynamic appendage)２０７の輪郭２１０には、ブレード２０４の前縁部２０５のように、角度がある。
【００８５】
輪郭２１０はそれぞれ、回転軸線Ｒと平行な線に従って、対応する縁部２１２と実質的に重なっていることが有利である。
【００８６】
ファン２００が成形されているという事実により、縁部２１２に対する輪郭２１０の微小なずれは許容される。
【００８７】
特に図３、３ａに示されているように、抽出器２０７の輪郭２１０は、溝部１１７内に少なくとも部分的に挿入されることが有利である。
【００８８】
それぞれの輪郭２１０の外形は、溝部１１７の対応する水平部分の外形に一致することが好ましい。
【００８９】
輪郭２１０はそれぞれ、溝部１１７の底壁１１８に面する第１の区分２１８と、溝部１１７の側壁１１９に面する第２の区分２１９と、溝部１１７の側壁１２０に面する第３の区分２２０と、を備えている。
【００９０】
図示する好適な実施形態において、部分２１９は曲線状の輪郭を有し、部分２２０は直線状の輪郭を有している。
【００９１】
輪郭２１０の区分２１８、２１９、２２０は互いに接続され、溝部１１７の対応する壁１１８、１１９、１２０から等間隔にあることが好ましい。
【００９２】
図７に特に示されているように、ファン２００は、ハブ２０１の内側に配置された複数の半径方向羽根２１３を備えている。
【００９３】
羽根２１３はそれぞれ、それぞれの抽出器２０７の輪郭２１０に実質的に配置されることが好ましい。
【００９４】
羽根はそれぞれ、回転軸線Ｒの方にハブ２０１の側壁２０３から半径方向に延び、ハブ２０１内部に挿入されたケーシングの一部を中心に回転するような大きさである。
【００９５】
使用時に、方向Ｖにファン１００が回転する際、抽出器２０７はそれぞれ、それ自身の前縁部２１０とともに、溝部１１７内に存在する空気を「集め」、空気が出る対応する開口部２１１を介して、カップ状構造体から空気を搬送する。
【００９６】
抽出器２０７は、使用時に、ファン１００によって発生する主流Ｆ１と混合した温風の二次流れＦ２を発生させる。
【００９７】
このように、モータ１００の冷却は最適化される。
【００９８】
固定子巻線１１２が当接する突出部１１３は、固定子１０６から熱を吸収し、ケーシング１０１に、具体的には溝部１１７に、熱を移動させる。
【００９９】
ファン２００は、抽出器２０７によって、ハブ２０１内部から、具体的には溝部１１７から熱を抽出し、カップ状構造体から熱を移動させる。
本明細書に開示される発明は以下の態様を含む。
〔態様１〕
回転軸線（Ｒ）を有する電気機械であって、
前記回転軸線（Ｒ）に対して横方向にある底壁（１０３）を備えたケーシング（１０１）と、
該ケーシング（１０１）を閉じる蓋（１０２）と、
前記ケーシング（１０１）に固定された固定子（１０６）であって、複数の極片（１０９）と固定子の巻線（１１２）を形成する複数のコイル（１１１）を形成するように前記極片（１０９）に巻かれた少なくとも１つのワイヤ（１１０）とを備えた前記固定子と、を具備し、
前記底壁（１０３）は、前記回転軸線（Ｒ）と平行な線に従って前記ケーシング（１０１）の内側に突出する少なくとも１つの突出部（１１３）を備え、
前記巻線（１１２）の少なくとも１つのコイル（１１１）が、前記突出部（１１３）によって前記ケーシング（１０１）と熱交換するように前記突出部（１１３）と係合する、電気機械において、
前記底壁（１０３）が、前記ケーシングの外側に面する面（１０３ｂ）において、熱を放出するための少なくとも１つの溝部（１１７）を備えることを特徴とする、電気機械。
〔態様２〕
前記突出部（１１３）が略環状であり、全ての前記コイル（１１１）が、前記突出部（１１３）と係合する、態様１に記載の電気機械。
〔態様３〕
前記突出部（１１３）が、前記ケーシング（１０１）の側壁（１０４）と共に、前記ケーシング（１０１）の内側に第２の環状溝部（１１４）を画成する、態様２に記載の電気機械。
〔態様４〕
第１の溝部（１１７）が、前記回転軸線（Ｒ）に従って前記突出部（１１３）に実質的に配置された、態様１から３のいずれか一項に記載の電気機械。
〔態様５〕
前記第１の溝部（１１７）が環状である、態様１から４のいずれか一項に記載の電気機械。
〔態様６〕
前記底壁（１０３）が、軸流ファン（２００）のハブの底壁（２０２）に当接し且つ面するように設けられた、態様１から５のいずれか一項に記載の電気機械。
〔態様７〕
前記コイル（１１１）が、前記突出部（１１３）と係合した端部（１１１ａ）をそれぞれ備える、態様１から６のいずれか一項に記載の電気機械。
〔態様８〕
前記巻線（１１２）と前記突出部（１１３）との間に挿入された電気絶縁手段（１１６）を具備する、態様１から７のいずれか一項に記載の電気機械。
〔態様９〕
回転軸線（Ｒ）を有し、且つ、
カップ状構造体を形成するように底壁（２０２）と該底壁（２０２）から突出する側壁（２０３）とを備えた中央ハブ（２０１）を具備する軸流ファンであって、
前記中央ハブ（２０１）にそれぞれ固定されると共に前縁部（２０５）と後縁部（２０６）とを備えた複数のブレード（２０４）を具備する、軸流ファンにおいて、
前記底壁（２０２）を通して前記カップ状構造体の内側から前記カップ状構造体の外側へと空気を送るために前記底壁（２０２）と関連付けられた流体搬送手段（２０７、２１１）を具備することを特徴とする、軸流ファン。
〔態様１０〕
前記底壁（２０２）が、前記回転軸線（Ｒ）に対して横方向にある主要部（２０８）を備え、前記流体搬送手段（２０７、２１１）が、前記主要部（２０８）から前記カップ状構造体の内側へと突出する少なくとも１つの流体抽出器（２０７）と、前記カップ状構造体の内側と前記中央ハブ（２０１）の外側とを流体連通させるための、前記流体抽出器（２０７）の前記底壁（２０２）における少なくとも１つの開口部（２１１）と、を備える、態様９に記載の軸流ファン。
〔態様１１〕
前記流体抽出器（２０７）が、前記主要部（２０８）に固定された端縁部（２０９）と、前記主要部（２０８）から前記カップ状構造体の内側へと離された端部輪郭（２１０）と、を備える、態様１０に記載の軸流ファン。
〔態様１２〕
前記主要部（２０８）が、前記開口部（２１１）の少なくとも１つの縁部（２１２）を備え、前記開口部（２１１）が、前記流体抽出器（２０７）の前記端部輪郭（２１０）と前記縁部（２１２）とによって区切られた、態様１１に記載の軸流ファン。
〔態様１３〕
前記端部輪郭（２１０）が、前記回転軸線（Ｒ）と平行な線に従って、前記開口部（２１１）の対応する前記縁部（２１２）と実質的に重なる、態様１２に記載の軸流ファン。
〔態様１４〕
前記端部輪郭（２１０）が、前記流体抽出器（２０７）の前縁部を形成する、態様１１から１３のいずれか一項に記載の軸流ファン。
〔態様１５〕
前記流体搬送手段（２０７、２１１）が、複数の前記流体抽出器（２０７）と、前記底壁（２０２）における複数の対応する開口部（２１１）と、を備える、態様１０から１４のいずれか一項に記載の軸流ファン。
〔態様１６〕
前記流体抽出器（２０７）が、前記回転軸線（Ｒ）周りに等しい角度で間隔をおいて配置される、態様１５に記載の軸流ファン。
〔態様１７〕
前記流体搬送手段（２０７、２１１）が、前記中央ハブ（２０１）と一体的に形成される、態様９から１６のいずれか一項に記載の軸流ファン。
〔態様１８〕
態様１から８のいずれか一項に記載の電気機械と、態様９から１７のいずれか一項に記載の軸流ファンと、を具備し、前記流体搬送手段（２０７、２１１）が前記第１の溝部（１１７）において機能することを特徴とする、電気換気器。
〔態様１９〕
前記電気機械（１００）が、前記ケーシング（１０１）に対して回転可能に拘束された回転子（１０７）と、該回転子（１０７）に固定されたシャフト（１０８）と、を備え、該シャフト（１０８）が、前記ケーシング（１０１）の前記底壁（１０３）から突出する自由端（１０８ａ）を備え、前記軸流ファン（２００）が前記自由端（１０８ａ）に対して固定された、態様１８に記載の電気換気器。
〔態様２０〕
前記中央ハブ（２０１）の前記底壁（２０２）が、前記回転軸線（Ｒ）に対して横方向にある主要部（２０８）を備え、前記流体搬送手段（２０７、２１１）が、複数の流体抽出器（２０７）と、前記底壁（２０２）における複数の対応する開口部（２１１）と、を備え、それぞれの流体抽出器（２０７）が、前記主要部（２０８）から前記カップ状構造体の内側へと突出し、且つ、前記主要部（２０８）に対して固定された端縁部（２０９）と、前記主要部（２０８）から前記カップ状構造体の内側へと離れた端部輪郭（２１０）と、を備え、前記端部輪郭（２１０）が、前記流体抽出器（２０７）の前縁部を形成し、且つ、前記第１の溝部（１１７）内に挿入された、態様１８又は１９に記載の電気換気器。
〔態様２１〕
それぞれの端部輪郭（２１０）の外形が、前記第１の溝部（１１７）の対応する区分の外形と一致する、態様２０に記載の電気換気器。
〔態様２２〕
前記第１の溝部（１１７）が、底壁（１１８）を備え、且つ、前記底壁（１１８）に接続された第１の側壁（１１９）及び第２の側壁（１２０）によって側方に区切られ、それぞれの端部輪郭（２１０）が、前記第１の溝部（１１７）の前記底壁（１１８）に面する第１の区分（２１８）と、前記第１の溝部（１１７）の前記第１の側壁（１１９）に面する第２の区分（２１９）と、前記第１の溝部（１１７）の前記第２の側壁（１２０）に面する第３の区分（２２０）と、を備える、態様２１に記載の電気換気器。
〔態様２３〕
前記端部輪郭（２１０）の前記第１の区分（２１８）、前記第２の区分（２１９）、前記第３の区分（２２０）が互いに接続され、前記第１の溝部（１１７）の前記底壁（１１８）、前記第１の溝部（１１７）の前記第１の側壁（１１９）、及び、前記第１の溝部（１１７）の前記第２の側壁（１２０）、のそれぞれから同じ距離にある、態様２２に記載の電気換気器。
【図１】
0006480425.tif 000002
【図２】
0006480425.tif 000003
【図３】
0006480425.tif 000004
【図３ａ】
0006480425.tif 000005
【図４】
0006480425.tif 000006
【図５】
0006480425.tif 000007
【図６】
0006480425.tif 000008
【図７】
0006480425.tif 000009